(57)【特許請求の範囲】
【請求項１】
利用者を被写体として撮影するための撮影空間の一部に、上辺部が固定されて取り付けられたカーテンと、
前記カーテンの下辺部近傍に装着され、前記カーテンの裏面側に突出する突起部を有する第１の固定部材と、
前記カーテンの裏面側に設けられ、前記突起部に対応する位置に孔部を有する第２の固定部材と
を備え、
前記第１の固定部材と第２の固定部材とは、前記突起部が前記孔部に係合することにより固定され、
前記孔部は、前記突起部を挿入可能な第１の孔と、前記第１の孔から少なくとも一部が水平方向に延在し、前記突起部がその先端で係止される第２の孔とから構成される
写真作成ゲーム機。
【請求項２】
前記第１の固定部材は、前記カーテンの下辺部に沿って延在するようにして装着され、
複数の前記突起部は、前記第１の固定部材の略延在方向に並ぶように配置される
請求項１に記載の写真作成ゲーム機。
【請求項３】
前記突起部は、円柱状に形成され、前記第１の固定部材側の一端の円周方向に凹部を有し、
前記第２の孔は、前記第１の孔から斜め下方向に延在し、前記凹部が摺動することで前記突起部が係止されるように構成される
請求項１または２に記載の写真作成ゲーム機。
【請求項４】
前記第１の固定部材は、前記第２の孔が延在しない側の一端に、前記第２の固定部材の一端を係止するための鉤部を有する
請求項３に記載の写真作成ゲーム機。
【請求項５】
前記第１の固定部材は、前記第２の孔が延在する側の他端に、前記他端を前記カーテンと垂直に設けられる面に接合するための接合部を有する
請求項４に記載の写真作成ゲーム機。
【請求項６】
前記第１の固定部材は、前記第２の固定部材と対向しない側の面が前記カーテンに覆われるようにして、前記第２の固定部材に固定される
請求項１乃至５のいずれかに記載の写真作成ゲーム機。
【請求項７】
前記カーテンの上辺部は、前記撮影空間において撮影される前記利用者の背面側に設けられる背面パネルの上部に固定され、
前記第２の固定部材は、前記背面パネルの下部に設けられる
請求項１乃至６のいずれかに記載の写真作成ゲーム機。
【発明の詳細な説明】
【技術分野】
【０００１】
本技術は、写真作成ゲーム機に関し、特に、設置や移設の際などの作業を簡単にすることができるようにする写真作成ゲーム機に関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
通常、写真シール機の撮影空間において撮影される利用者の背面側には、カーテンが設けられる。このカーテンは、背面上方に設けられたカーテンユニットから上げ下ろしされるようにしてもよいし、背面側のパネルに直接取り付けられるようにしてもよい。
【０００４】
特許文献１には、撮影空間側から見たときに、金具やねじなどが露出することなく、背面カーテンを背面パネルに取り付けるための構成が開示されている。
【先行技術文献】
【特許文献】
【０００５】
【特許文献１】特開２０１５−２４２１号公報
【発明の概要】
【発明が解決しようとする課題】
【０００６】
背面カーテンを背面パネルに直接取り付ける構成においては、背面カーテンの下辺部近傍に取り付けられた固定金具を、背面パネルに固定するようになされる。固定金具は、背面パネルの外側（撮影空間の外側）から、ねじが螺挿されることで固定される。
【０００７】
ところで、写真シール機が設置される施設や店舗においては、建物内の壁面や他のゲーム機と背面パネルとの間に十分なスペースを確保できずに、写真シール機が設置されることがある。この場合、写真シール機の設置や移設の際や、汚れてしまった背面カーテンを交換する際、作業員は、カーテンに取り付けられている固定金具の取り外しに手間がかかっていた。
【０００８】
本技術は、このような状況に鑑みてなされたものであり、設置や移設の際などの作業をより簡単にすることができるようにするものである。
【課題を解決するための手段】
【０００９】
本技術の写真作成ゲーム機は、利用者を被写体として撮影するための撮影空間の一部に、上辺部が固定されて取り付けられたカーテンと、前記カーテンの下辺部近傍に装着され、前記カーテンの裏面側に突出する突起部を有する第１の固定部材と、前記カーテンの裏面側に設けられ、前記突起部に対応する位置に孔部を有する第２の固定部材とを備え、前記第１の固定部材と第２の固定部材とは、前記突起部が前記孔部に係合することにより固定され、前記孔部は、前記突起部を挿入可能な第１の孔と、前記第１の孔から少なくとも一部が水平方向に延在し、前記突起部がその先端で係止される第２の孔とから構成される。
【００１０】
本技術の写真作成ゲーム機においては、利用者を被写体として撮影するための撮影空間の一部にカーテンが取り付けられた、前記カーテンの裏面側に突出する突起部を有する第１の固定部材が、前記カーテンの下辺部近傍に装着され、前記突起部に対応する位置に孔部を有する第２の固定部材が、前記カーテンの裏面側に設けられ、前記第１の固定部材と第２の固定部材とは、前記突起部が前記孔部に係合することにより固定され、前記孔部は、前記突起部を挿入可能な第１の孔と、前記第１の孔から少なくとも一部が水平方向に延在し、前記突起部がその先端で係止される第２の孔とから構成される。
【発明の効果】
【００１１】
本技術によれば、設置や移設の際などの作業をより簡単にすることが可能となる。
【図面の簡単な説明】
【００１２】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】背面カーテンの上辺部近傍の構成について説明する図である。
【図１０】背面カーテンの下辺部近傍の構成について説明する図である。
【図１１】背面カーテンの下辺部近傍の構成の詳細を示す図である。
【図１２】背面カーテンを固定する仕組みについて説明する図である。
【図１３】固定金具の構成例を示す斜視図である。
【図１４】固定金具を他の角度からみた斜視図である。
【図１５】突起部について説明する図である。
【図１６】下フレームの構成例を示す斜視図である。
【図１７】孔部について説明する図である。
【図１８】固定金具と下フレームの固定の仕組みについて説明する図である。
【図１９】固定金具と下フレームの固定の仕組みについて説明する図である。
【図２０】下フレームの孔部の他の例を示す図である。
【図２１】従来の天井カーテンの例を示す図である。
【図２２】本実施の形態の写真シール作成装置の天井カーテンの例を示す図である。
【図２３】従来の支持金具の構成例を示す図である。
【図２４】本実施の形態の写真シール作成装置の支持金具の構成例を示す図である。
【発明を実施するための形態】
【００１３】
以下、本技術を適用した具体的な実施の形態について、図面を参照しながら詳細に説明する。
【００１４】
＜写真シール作成装置の外観構成＞
図１および図２は、写真シール作成装置１の外観の構成例を示す斜視図である。
【００１５】
写真シール作成装置１は、撮影画像や編集画像を提供するゲーム機である。写真シール作成装置１は、画像をシール紙に印刷したり、画像を利用者の携帯端末上で閲覧可能にするためにその画像をサーバに送信することで、利用者に画像を提供する。写真シール作成装置１は、アミューズメント施設や店舗に設置される。写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００１６】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１７】
図１に示すように、写真シール作成装置１は、基本的に、撮影ユニット１１と編集ユニット１２が接した状態で設置されることによって構成される。
【００１８】
撮影ユニット１１は、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離れて設置される。撮影部２１と背景部２２の間に形成される空間が、撮影処理が行われる撮影空間となる。
【００１９】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２０】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置されるものとする。なお、事前選択部２０は、側面パネル４１Ｂに設置されるようにしてもよいし、側面パネル４１Ａ，４１Ｂの両方に設置されるようにしてもよい。
【００２１】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２２】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００２３】
なお、背面パネル５１の撮影空間側の面には、例えば緑色のクロマキー用のカーテン（シート）が貼り付けられる。写真シール作成装置１は、クロマキー用のカーテンを背景として撮影することで、撮影処理や編集処理においてクロマキー合成を行う。これにより、利用者が所望する背景画像がカーテンの部分に合成される。
【００２４】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００２５】
撮影空間の上方には、撮影部２１の正面、連結部２３Ａ、および連結部２３Ｂに囲まれた天井が形成される。その天井の一部に、天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられている。これにより、天井ストロボユニット２４は、撮影空間の照明としても機能する。
【００２６】
編集ユニット１２は、撮影画像に編集を施すための装置である。編集ユニット１２は、一方の側面が撮影部２１の正面パネル４２に接するようにして、撮影ユニット１１に連結している。
【００２７】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００２８】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００２９】
編集ユニット１２の上方にはカーテンレール２６が取り付けられる。カーテンレール２６は、３本のレール２６Ａ乃至２６Ｃが、組み合わせられて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３０】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３１】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００３２】
＜利用者の移動について＞
ここで、写真シール作成ゲームの流れと、それに伴う利用者の移動について説明する。図３は、写真シール作成装置１を上から見た平面図である。
【００３３】
まず、利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００３４】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。そして利用者は、撮影部２１に設けられたカメラやタッチパネルモニタなど利用して撮影作業を行う。
【００３５】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００３６】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００３７】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００３８】
印刷待ち空間Ａ３に移動した利用者は、画像の印刷の終了を待つ。印刷が終了すると、利用者は、編集ユニット１２の右側面に設けられた排出口から排出されたシール紙を受け取り、一連の写真シール作成ゲームを終える。
【００３９】
次に、各装置の構成について説明する。
【００４０】
＜事前選択部の構成＞
図４は、事前選択部２０の構成例を示す図である。
【００４１】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、撮影に関するコースの選択などを行わせる事前選択処理に用いられる画面が表示される。
【００４２】
タッチパネルモニタ７１の下方には、スピーカ７２が設けられる。スピーカ７２は、事前選択処理の案内音声、BGM（Back Ground Music）、効果音などを出力する。また、スピーカ７２に隣接するようにして、利用者が硬貨を入れる硬貨投入返却口７３が設けられる。
【００４３】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００４４】
正面パネル４２の中央よりやや上側には、カメラユニット８１が設けられる。カメラユニット８１は、カメラ９１およびタッチパネルモニタ９２から構成される。
【００４５】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００４６】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。タッチパネルモニタ９２には、カメラ９１により取り込まれた動画像（ライブビュー画像）や静止画像（撮影画像）が表示される。
【００４７】
カメラユニット８１の上方には、曲面の発光面を利用者に向けた上ストロボユニット８２が設置される。上ストロボユニット８２は、利用者の正面上方から、利用者の顔および上半身に光を照射する。
【００４８】
カメラユニット８１の下方には、利用者の下半身および足元に光を照射する足元ストロボユニット８３が設けられる。
【００４９】
上ストロボユニット８２および足元ストロボユニット８３は、蛍光灯とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００５０】
足元ストロボユニット８３と側面パネル４１Ａとの間には、箱状部８４が設けられる。また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００５１】
なお、図示はしないが、正面パネル４２の例えば天井付近には、スピーカが設けられる。そのスピーカは、撮影処理の案内音声、BGM、効果音などを出力する。
【００５２】
＜背景部の構成＞
図６は、背景部２２の撮影空間Ａ１側の構成例を示す図である。
【００５３】
背面パネル５１の上方には、背面上ストロボ１０１が設置される。背面上ストロボ１０１は、背面上方から利用者に光を照射する。
【００５４】
図中、背面パネル５１の左方には、背面左ストロボ１０２が設置される。背面左ストロボ１０２は、背面右方から利用者を照射する。図中、背面パネル５１の右方には、背面右ストロボ１０３が設置される。背面右ストロボ１０３は、背面左方から利用者を照射する。
【００５５】
また、背面パネル５１の撮影空間Ａ１側（図中、手前側）の面には、クロマキ用の背面カーテン１２１が貼り付けられる。背面カーテン１２１の色は、例えば緑色とされる。
【００５６】
なお、図示はしないが、側面パネル５２Ａ，５２Ｂの撮影空間Ａ１側の面の下側には、背面カーテン１２１の色と同色（緑色）のパネルが取り付けられる。
【００５７】
＜編集ユニットの構成＞
図７は、編集ユニット１２の正面側（編集空間Ａ２−１側）の構成例を示す図である。
【００５８】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００５９】
タブレット内蔵モニタ１３１は、タブレットがディスプレイを露出するように設けられることによって構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６０】
図８は、編集ユニット１２の左側面の構成例を示す図である。
【００６１】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００６２】
＜従来の背景カーテンの取り付け方＞
従来、背面カーテンを背面パネルに直接取り付ける構成の写真シール機においては、背面カーテンの下辺部近傍に取り付けられた固定金具を、背面パネルに固定するようになされる。固定金具は、背面パネルの外側（撮影空間の外側）から、ねじが螺挿されることで固定される。
【００６３】
固定金具を固定するために撮影空間の外側から螺挿されたねじは、撮影空間の内側からナットで留められる。そのため、作業員は、背面カーテンを背面パネルに取り付ける際、撮影空間の外側と内側とを行き来する必要があった。
【００６４】
また、写真シール機が設置される施設や店舗においては、建物内の壁面や他のゲーム機と背面パネルとの間に十分なスペースを確保できずに、写真シール機が設置されることがある。この場合、写真シール機の設置や移設の際や、汚れてしまった背面カーテンを交換する際、作業員は、背面カーテンに取り付けられている固定金具の取り外しに手間がかかっていた。
【００６５】
そこで、以下においては、特に、建物内の壁面や他のゲーム機器と背面パネルとの間に十分なスペースを確保できない状況であっても、作業員に、撮影空間の外側と内側とを行き来させることなく、背面カーテンに取り付けられている固定金具の取り外しに手間をかけさせない構成について説明する。
【００６６】
＜本実施の形態における背面カーテン＞
図９は、本実施の形態の写真シール作成装置１における背面カーテン１２１の上辺部近傍の構成について説明する図である。
【００６７】
図９に示されるように、背面カーテン１２１の上辺部は、背面パネル５１の最上部を構成するトップフレーム５１ａと、トップフレーム５１ａにねじ止めされる固定金具２１１とに挟まれるようにして固定される。固定金具２１１の色は、背面カーテン１２１の色と同色とされる。
【００６８】
なお、背面カーテン１２１の上辺部近傍は、カメラ９１の撮影範囲に含まれないため、固定金具２１１を固定するねじは、撮影空間Ａ１側に露出しても構わない。
【００６９】
図１０は、本実施の形態の写真シール作成装置１における背面カーテン１２１の下辺部近傍の構成について説明する図である。
【００７０】
図１０に示されるように、背面カーテン１２１の下辺部は、背面カーテン１２１の下辺部近傍に装着される第１の固定部材と、背面パネル５１の最下部を構成するベース部５１ｂに接合されている第２の固定部材とによって固定される。
【００７１】
具体的には、図１１に示されるように、背面カーテン１２１の下辺部は、背面カーテン１２１の下辺部近傍に装着される第１の固定部材としての固定金具２２１と、ベース部５１ｂに接合されている第２の固定部材としての下フレーム２２２とによって固定される。固定金具２２１は、背面カーテン１２１の下辺部に沿って延在するようにして装着される。また、固定金具２２１および下フレーム２２２の延在方向の長さは、背面カーテン１２１の幅と略同じとされる。
【００７２】
なお、図１１に示されるように、背面パネル５１は、ベース部５１ｂと、その下側（設置面側）に設けられる複数のキャスタ２２３およびアジャスタ２２４によって支持されている。なお、ベース部５１ｂの下側には、キャスタ２２３およびアジャスタ２２４のいずれか一方のみが設けられるようにしてもよい。
【００７３】
図１２は、背面カーテン１２１を固定する仕組みについて説明する図である。
【００７４】
図１２には、背面カーテン１２１、固定金具２２１、および下フレーム２２２を側面（側面パネル５２Ａ側）からみた場合の断面が示されている。
【００７５】
図１２に示されるように、固定金具２２１は、断面がコの字型の第１の部材２２１ａと第２の部材２２１ｂとが互いに嵌合することで構成される。固定金具２２１は、第１の部材２２１ａと第２の部材２２１ｂとの間に、背面カーテン１２１の下辺部の先端を挟み込むことで、背面カーテン１２１の下辺部近傍に装着される。
【００７６】
より詳細には、第１の部材２２１ａの内側には複数の突起部が設けられ、これらに対応するように、背面カーテン１２１の下辺部の先端近傍には複数の孔が設けられる。背面カーテン１２１の孔を、第１の部材２２１ａの突起部に通すことによって、固定金具２２１が、安定して背面カーテン１２１に装着されるようになる。もちろん、他の構成により、固定金具２２１が背面カーテン１２１に装着されるようにしてもよい。例えば、第１の部材２２１ａの内側に複数の孔を設け、これらに対応するように、背面カーテン１２１の下辺部の先端近傍に複数の突起部を設けることで、固定金具２２１が背面カーテン１２１に装着されるようにしてもよい。
【００７７】
固定金具２２１は、下フレーム２２２と対向しない側（図中左側）の面が、背面カーテン１２１に覆われるようにして、下フレーム２２２に固定される。背面カーテン１２１の下辺部近傍は、カメラ９１の撮影範囲に含まれるため、このような構成により、背面カーテン１２１を固定する金具やねじなどを露出させないようにすることができる。
【００７８】
また、固定金具２２１は、背面カーテン１２１の裏面側、すなわち下フレーム２２２と対向する側（図中右側）に突出する複数の突起部２３１を有する。
【００７９】
一方、詳細は後述するが、下フレーム２２２には、固定金具２２１の複数の突起部２３１に対応する位置に、複数の孔部が設けられている。
【００８０】
固定金具２２１と下フレーム２２２とは、複数の突起部２３１が、複数の孔部に係合することで固定されるようになされている。
【００８１】
＜固定金具の構成＞
ここで、固定金具２２１の構成について説明する。
【００８２】
図１３は、固定金具２２１の撮影空間Ａ１側からみた斜視図であり、図１４は、固定金具２２１の撮影空間Ａ１の外側（背面パネル５１の外側）からみた斜視図である。
【００８３】
以降、撮影空間Ａ１側からみた側をおもて側といい、撮影空間Ａ１の外側からみた面を裏側ということとする。
【００８４】
固定金具２２１をおもて側からみた場合、固定金具２２１の右端には、下フレーム２２２の一端を係止するための鉤部２３２が設けられる。鉤部２３２は、細長い平板が上面視でコの字型に折られた形状に形成されており、下フレーム２２２をおもて側からみたときの下フレーム２２２の右端に嵌合するようになされている。具体的には、鉤部２３２は、コの字型の一端が固定金具２２１右端のおもて側の面に接合され、その奥行き部分（おもて側から裏側に延在する部分）の長さは、コの字型の他端が下フレーム２２２の右端を係止するよう、固定金具２２１と下フレーム２２２の厚さと略同じとなるように形成されている。
【００８５】
また、固定金具２２１をおもて側からみた場合、固定金具２２１の左端には、その左端を、背面カーテン１２１と垂直に設けられる側面パネル５２Ｂの面に接合するための接合部２３３が設けられる。接合部２３３にはねじ孔が設けられており、接合部２３３が側面パネル５２Ｂの面に、撮影空間Ａ１の内側からねじ止めされることで、固定金具２２１の左端が固定される。
【００８６】
固定金具２２１を裏側からみた場合、固定金具２２１の裏側の面には、複数（図１４の例では３個）の突起部２３１が、固定金具２２１の延在方向に並ぶように配置されている。
【００８７】
なお、ここでは、突起部２３１は、延在方向に一直線に並んで配置されるものとするが、必ずしも一直線に並んで配置される必要はなく、一直線上からずれて、略延在方向に並ぶように配置されていればよい。
【００８８】
図１５に示されるように、突起部２３１は、円柱状に形成されており、その固定金具２２１側の一端（基端部分）の円周方向に凹部２３１ａを有している。凹部２３１ａは、その幅が、下フレーム２２２のおもて側の面を構成する板金の厚さよりも広くなるように形成されている。
【００８９】
＜下フレームの構成＞
次に、下フレーム２２２の構成について説明する。
【００９０】
図１６は、下フレーム２２２のおもて側からみた斜視図である。
【００９１】
上述したように、下フレーム２２２は、おもて側の面において、固定金具２２１の複数の突起部２３１に対応する位置に、複数（図１４の例では３個）の孔部２４１を有している。
【００９２】
また、下フレーム２２２をおもて側からみた場合、下フレーム２２２の左端には、その左端を、固定金具２２１の接合部２３３とともに側面パネル５２Ｂの面に接合するための接合部２４２が設けられる。接合部２４２にはねじ孔が設けられており、接合部２４２が、固定金具２２１の接合部２３３とともに、側面パネル５２Ｂの面に、撮影空間Ａ１の内側からねじ止めされることで、下フレーム２２２の左端が、固定金具２２１の左端とともに固定される。
【００９３】
なお、ねじ止めされた接合部２３３，２４２は、上述した緑色のパネルに覆われる（隠される）ようになる。
【００９４】
図１７は、孔部２４１のおもて側からみた正面図である。
【００９５】
孔部２４１は、突起部２３１を挿入可能な第１の孔２４１ａと、第１の孔２４１ａから斜め下方向（おもて側からみて左下方向）に延在する第２の孔２４１ｂとから構成される。
【００９６】
第１の孔２４１ａは、略円形の形状を有し、その径は、円柱状の突起部２３１の直径より大きく形成されている。
【００９７】
第２の孔２４１ｂは、その延在方向に長辺をもつ長方形が、延在方向先端で水平方向に向きを変えたような形状を有し、その幅は、円柱状の突起部２３１の直径より狭く、かつ、突起部２３１の凹部２３１ａの直径より広く形成されている。
【００９８】
＜固定金具と下フレームの固定の仕組み＞
ここで、上述した固定金具２２１と下フレーム２２２とが固定される仕組みについて説明する。
【００９９】
図１８は、下フレーム２２２の裏側からみた正面図である。
【０１００】
図１８においては、下フレーム２２２に設けられる１つの孔部２４１の第１の孔２４１ａに、対応する突起部２３１が、下フレーム２２２のおもて側から挿入された状態が示されている。なお、他の２個の孔部２４１においても同じ状態が示される。
【０１０１】
このとき、３個の突起部２３１は、それぞれ凹部２３１ａまで挿入される必要がある。
【０１０２】
この状態で、作業員などの手によって、固定金具２２１が、おもて側からみて左側（図中右側）にずらされると、突起部２３１は、凹部２３１ａが第２の孔２４１ｂを摺動することで、図１９に示されるように、第２の孔２４１ｂの先端に係止されるようになる。
【０１０３】
一般的に、固定金具が装着されているカーテンを直接下方向に引っ張る場合、左右の力のバランスが崩れると均等に引っ張ることができず、カーテンにしわができてしまうおそれがある。
【０１０４】
一方、上述した構成においては、第２の孔２４１ｂが、おもて側からみて左下に延在するように形成されているので、固定金具２２１が左側にずらされることで、固定金具２２１自体は、下方向にも移動して固定されるようになる。すなわち、固定金具２２１を左側にずらすだけで、固定金具２２１が装着されている背面カーテン１２１を、下方向に均等に引っ張ることができ、背面カーテン１２１にしわを作らないようにすることができる。
【０１０５】
このとき、図示はしないが、鉤部２３２は、下フレーム２２２の第２の孔２４１ｂの延在方向と反対側の一端（おもて側からみて右端）を、第２の孔２４１ｂの延在方向の反対側（おもて側からみて右側）から係止することで、固定金具２２１の右端が固定される。
【０１０６】
また、図示はしないが、固定金具２２１のおもて側からみて左端においては、接合部２３３が、下フレーム２２２の左端に設けられる接合部２４２と、それぞれのねじ孔が一致するように重なり合う。
【０１０７】
以上の構成によれば、背面カーテンを取り付ける際、背面カーテンの下辺部近傍に取り付けられた固定金具を、撮影空間の外側からねじを螺挿して固定することなく、撮影空間の内側から固定することができるので、建物内の壁面や他のゲーム機器と背面パネルとの間に十分なスペースを確保できない状況であっても、作業員に、カーテンに取り付けられている固定金具の取り外しに手間をかけさせず、設置や移設の際などの作業をより簡単にすることが可能となる。
【０１０８】
＜変形例＞
ここで、図２０を参照して、下フレーム２２２に設けられる孔部の他の例について説明する。
【０１０９】
図２０の左側には、孔部２５１が示されている。
【０１１０】
孔部２５１は、第１の孔２５１ａ、第２の孔２５１ｂ、および第３の孔２５１ｃから構成される。
【０１１１】
第１の孔２５１ａおよび第２の孔２５１ｂは、図１７の孔部２４１の第１の孔２４１ａおよび第２の孔２４１ｂと同様に形成される。
【０１１２】
第３の孔２５１ｃは、第２の孔２５１ｂの下側に、第２の孔２５１ｂよりさらに斜め下方向に延在するように形成される。
【０１１３】
図２０の右側には、孔部２５２−１，２５２−２が示されている。
【０１１４】
孔部２５２−１，２５２−２は、背面カーテン１２１の高さ方向に並んで配置され、その形状はいずれも、図１７の孔部２４１と同様に形成される。
【０１１５】
図２０に示される構成によれば、背面カーテン１２１の下端部分の高さを調整することができる。
【０１１６】
例えば、図２０左側に示される構成において、突起部２３１を、第２の孔２５１ｂの先端に係止させるのではなく、第３の孔２５１ｃの先端に係止させることで、背面カーテン１２１の下端部分を、より床面に近づけることができる。
【０１１７】
また、図２０右側に示される構成において、突起部２３１を、孔部２５２−２に係合させるのではなく、孔部２５２−１に係合させることで、背面カーテン１２１の下端部分を、より床面に近づけることができる。
【０１１８】
これにより、背面カーテン１２１の張り具合を調整することができる他、背面カーテン１２１と床面との境界線を目立たせるか否かを選択することができる。つまり、撮影空間Ａ１における利用者の背景として、背面カーテン１２１と床面との境界線を目立たせることが望まれる場合には、突起部２３１を、第２の孔２５１ｂの先端に係止させたり、孔部２５２−２に係合させる。逆に、背面カーテン１２１と床面との境界線を目立たせないことが望まれる場合には、突起部２３１を、第３の孔２５１ｃの先端に係止させたり、孔部２５２−１に係合させる。
【０１１９】
なお、以上においては、本技術を、背面カーテン１２１の下辺部を固定する構成に適用するものとしたが、撮影空間Ａ１の一部に取り付けられる他のカーテンや、写真シール作成装置１の外装として取り付けられるカーテンの下辺部を固定する構成に適用することもできる。
【０１２０】
また、以上においては、固定金具２２１は、背面カーテン１２１の下辺部に沿って延在する１つの部材からなるものとしたが、背面カーテン１２１の幅より短い長さの部材として構成されるようにしてもよい。この場合、複数の固定金具２２１が、背面カーテン１２１の下辺部に沿って並ぶように配置されるようになる。
【０１２１】
さらに、以上においては、固定金具２２１は、３個の突起部２３１を有するものとしたが、３個以外の数の突起部２３１を有するようにしてもよいし、突起部２３１を１個のみ有するようにしてもよい。突起部２３１の数が少ない場合であっても、鉤部２３２と接合部２３４とにより、固定金具２２１を安定的に固定することは可能である。
【０１２２】
＜天井カーテンの取り付け構造＞
図２１は、従来の写真シール機の背景部の側面図である。なお、図２１においては、側面パネルの図示は省略されている。
【０１２３】
従来の写真シール機においては、天井ストロボユニット２４と背面上ストロボ１０１との間に開口が形成される場合、図２１に示されるように、遮光のための天井カーテン３１１が取り付けられていた。
【０１２４】
天井カーテン３１１は、一端が、天井ストロボユニット２４の近傍で固定され、他端が、背面パネル５１上部の外側の面に固定される。なお、天井カーテン３１１は、繊維が軟質塩化ビニルでコーティングされた生地であるターポリンなどにより形成されるものとする。
【０１２５】
図２２は、本実施の形態の写真シール作成装置１の背景部２２の側面図である。なお、図２２においても、側面パネルの図示は省略されている。
【０１２６】
写真シール作成装置１においては、天井カーテン３１１は、一端が、天井ストロボユニット２４の近傍で固定され、他端が、背面パネル５１の天面部に固定される。
【０１２７】
なお、本実施の形態の写真シール作成装置１において、背面パネル５１の高さは、図２１に示される従来の写真シール機における背面パネル５１の高さより低く、その分が天井カーテン３１１により覆われている。
【０１２８】
このように、本実施の形態の写真シール作成装置１において、天井カーテン３１１は、従来の写真シール機と比べて、その他端がより低い位置で固定されるようになる。
【０１２９】
これにより、写真シール作成装置１を組み立てる際、作業員が、天井カーテン３１１を取り付ける作業を行いやすくなり、結果として、しわやたわみなく、天井カーテン３１１を張ることができる。
【０１３０】
また、背面パネル５１の高さが低くなった部分に、ＰＯＰ広告などを取り付けるようにしてもよい。
【０１３１】
以上においては、天井カーテン３１１の他端が、背面パネル５１に固定されるものとしたが、天井カーテン３１１の他端が、背景部２２の側面パネル５２Ａ，５２Ｂや、撮影部２１の正面パネル４１、側面パネル４２Ａ，４２Ｂに固定されるようにしてもよい。
【０１３２】
さらに、天井カーテン３１１を、背景部２２側では背面パネル５１の下端部分まで張り、撮影部２１側では正面パネル４２の下端部分まで張ることで、パイプテントのようにして撮影空間Ａ１を形成するようにしてもよい。この場合、天井部分には、必要に応じて開口を設けるようにする。
【０１３３】
＜編集ユニットの構成＞
図２３は、従来の写真シール機の、編集ユニットにおけるタブレット内蔵モニタ１３１の下方部分の拡大図である。
【０１３４】
図２３に示されるように、タブレット内蔵モニタ１３１下方の垂直面には、断面が直角三角形となるような、左右に延在する溝部が形成されている。その溝部の下側の面からは、編集ユニットとタッチペン１３２Ａ，１３２Ｂとをつなぐペンケーブル３３１Ａ，３３１Ｂが延出している。
【０１３５】
ペンケーブル３３１Ａ，３３１Ｂは、その根元を固定する固定金具３３２と、固定金具３３２を支持する支持金具３３３により固定されている。
【０１３６】
支持金具３３３は、平板がＬ字型に折られた形状を有し、溝部の２つの面に当接して固定される。図２３においては、支持金具３３３の、溝部の上側の面（通常、利用者の視点から隠れる面）に対応する面が、溝部の上側の面にねじ止めされる。
【０１３７】
図２４は、本実施の形態の写真シール作成装置１の、編集ユニットにおけるタブレット内蔵モニタ１３１の下方部分の拡大図である。
【０１３８】
写真シール作成装置１においては、支持金具３３３が、平板形状を有し、溝部の下側の面に当接して固定される。図２４においては、支持金具３３３が、溝部の下側の面にねじ止めされる。
【０１３９】
図２４に示される構成によれば、図２３に示される構成と比べて、作業員が、支持金具３３３をねじ止めする作業を行いやすくすることができる。
【０１４０】
上述した実施の形態では、写真シール作成装置１は、得られた撮影画像や編集画像をシール紙に印刷するとともに、サーバに送信することで利用者の携帯端末に提供する構成を採るものとした。これに限らず、撮影画像や編集画像をシール紙に印刷せずに、サーバに送信することで利用者の携帯端末に提供するのみの構成を採ることも可能である。また逆に、撮影画像や編集画像をサーバに送信せずに、シール紙に印刷するのみの構成を採ることも可能である。
【０１４１】
すなわち、本技術は、撮影画像や編集画像がシール紙に印刷された写真シールを作成する写真シール作成装置に限らず、単に、撮影画像や編集画像を作成するゲームを提供する写真作成ゲーム機に適用することができる。
【０１４２】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０１４３】
また、本技術の実施の形態は、上述した実施の形態に限定されるものではなく、本技術の要旨を逸脱しない範囲において種々の変更が可能である。
【符号の説明】
【０１４４】
１  写真シール作成装置
５１  背面パネル
１２１  背面カーテン
２２１  固定金具
２２２  下フレーム
２３１  突起部
２３１ａ  凹部
２３２  鉤部
２３３  接合部
２４１  孔部
２４１ａ  第１の孔
２４１ｂ  第２の孔
２４２  接合部
【図１】
0006703242.tif 000002
【図２】
0006703242.tif 000003
【図３】
0006703242.tif 000004
【図４】
0006703242.tif 000005
【図５】
0006703242.tif 000006
【図６】
0006703242.tif 000007
【図７】
0006703242.tif 000008
【図８】
0006703242.tif 000009
【図９】
0006703242.tif 000010
【図１０】
0006703242.tif 000011
【図１１】
0006703242.tif 000012
【図１２】
0006703242.tif 000013
【図１３】
0006703242.tif 000014
【図１４】
0006703242.tif 000015
【図１５】
0006703242.tif 000016
【図１６】
0006703242.tif 000017
【図１７】
0006703242.tif 000018
【図１８】
0006703242.tif 000019
【図１９】
0006703242.tif 000020
【図２０】
0006703242.tif 000021
【図２１】
0006703242.tif 000022
【図２２】
0006703242.tif 000023
【図２３】
0006703242.tif 000024
【図２４】
0006703242.tif 000025